(57)【要約】【課題】任意の場所を冷却・加温することができる腰保護シート及び保護カバーの提供。【解決手段】  本考案の腰用保護シート１は、本体部２と、本体部２の長手方向Ｌ一端側に設けられた係止部３と、係止部３と係止可能であって本体部２の長手方向Ｌの他端側に設けられた被係止部４と、を備えている。本体部２のおもて面には、冷却剤又は加温剤の少なくとも一方を収容可能であって、本体部２の長手方向Ｌ全体に亘って複数の第１収容部２４が互いに隣接するように設けられている。被係止部４の少なくとも一部は、おもて面に直交する方向Ｅから見て第１収容部２４と重なるように設けられている。【選択図】図１
0003204888.tif 000002
【実用新案登録請求の範囲】
【請求項１】
本体部と、
前記本体部の長手方向一端側に設けられた係止部と、
前記係止部と係止可能であって、前記本体部の前記長手方向の他端側に設けられた被係止部と、を備える腰用保護シートであって、
前記本体部のおもて面には、前記本体部の前記長手方向全体に亘って複数の第１収容部が互いに隣接するように設けられていて、
前記被係止部の少なくとも一部は、前記おもて面に直交する方向から見て前記第１収容部と重なるように設けられていることを特徴とする腰用保護シート。
【請求項２】
前記本体部は、
前記本体部の裏面であって、前記第１収容部が設けられている部分に対応する当接面と、
折り畳まれることにより前記長手方向全体に亘って前記当接面又は前記第１収容部を覆う第１カバー部と、
第１カバー部とは異なる場所に、折り畳まれることにより前記長手方向全体に亘って前記第１カバー部又は前記第１収容部を覆う第２カバー部と、を有することを特徴とする請求項１に記載の腰用保護シート。
【請求項３】
前記第１収容部の内側には、断熱シートが設けられていることを特徴とする請求項１又は２に記載の腰用保護シート。
【請求項４】
腰用保護シートには、前記長手方向と直交する幅方向全幅に亘って複数の第２収容部が設けられていることを特徴とする請求項１から３のいずれか１項に記載の腰用保護シート。
【請求項５】
前記第１収容部及び前記第２収容部は、前記幅方向の一方であって腰用保護シートを装着した際に上側に位置する部分が開口していることを特徴とする請求項４に記載の腰用保護シート。
【請求項６】
前記第１収容部及び前記第２収容部は、同一形状であることを特徴とする請求項４又は５に記載の腰用保護シート。
【請求項７】
本体部と、
前記本体部の長手方向の一端と前記長手方向の他端とを接続する接続部と、を備える保護カバーであって、
前記本体部には、前記長手方向全体及び前記長手方向に直交する幅方向全幅に亘って複数の収容部が互いに隣接するように設けられていることを特徴とする保護カバー。
【考案の詳細な説明】
【技術分野】
【０００１】
本考案は、腰用保護シート及び保護カバーに関するものである。
【背景技術】
【０００２】
従来の保冷スカーフは、ＰＶＡからなる保冷剤を収容する保冷剤収容領域を保冷スカーフの長手方向中央部分に設けていた（例えば、特許文献１）。保冷剤収容領域に保冷剤を入れた状態で保冷スカーフを首に巻くことによって、体を冷やすことができる。保冷スカーフを首に巻く際は、保冷スカーフの長手方向の両端を互いに結ぶことによって保冷スカーフを首に保持することができる。
【０００３】
他の従来技術である和装用の補正下着では、腰の部分に当接する位置に、保冷剤を収容するための袋体が設けられている（例えば、特許文献２）。袋体は、所定間隔を開けて３か所設けられている。各袋体に保冷剤を入れることにより、夏の暑い日などの和装の際、身体を涼しく保つことができる。
【先行技術文献】
【特許文献】
【０００４】
【特許文献１】特開２０１４−１４３９３号公報
【特許文献２】特開２０１５−１７３４５号公報
【考案の概要】
【考案が解決しようとする課題】
【０００５】
しかし、上記の保冷スカーフでは、保冷剤収容領域は首の後ろ部分に当接する箇所にしか設けられておらず、首の任意の位置を冷すことはできなかった。和装用の補正下着においても同様に、保冷剤を収容する袋体は間隔を隔てて複数設けられているため、腰部の任意の位置を冷やすことはできなかった。
【０００６】
そこで、本考案では、任意の場所を冷却・加温することができる腰保護シート及び保護カバーを提供することを目的とする。
【課題を解決するための手段】
【０００７】
上記課題を解決するために本考案は、本体部と、前記本体部の長手方向一端側に設けられた係止部と、前記係止部と係止可能であって、前記本体部の前記長手方向の他端側に設けられた被係止部と、を備える腰用保護シートであって、前記本体部のおもて面には、前記本体部の前記長手方向全体に亘って複数の第１収容部が互いに隣接するように設けられていて、前記被係止部の少なくとも一部は、前記おもて面に直交する方向から見て前記第１収容部と重なるように設けられていることを特徴とする腰用保護シートを提供している。
【０００８】
このような構成によると、腰用保護シートには複数の第１収容部が長手方向全体に亘って設けられているため、第１収容部に冷却材又は加温剤を収容することにより腰部の任意の位置を冷却・加温することができる。本体部には、係止部と被係止部とが設けられているため、腰用保護シートを腰部に保持することができる。特に、病院などで腰用のコルセットが不要になった際に、腰部を安定させるための保護シートとして用いることができる。また、冬山登山時に携帯し、腰用保護シートの第１収容部に加温剤を収容することにより暖を取ることが出来る。被係止部は、第１収容部と重なるように設けられているため、係止部と被係止部とが係止した際、本体部の一端と他端とに隙間が空くことを抑制できる。これにより、腰用保護シートを腰部に装着した際、腰部の全周を隙間無く冷却又は加温することができる。収容部には、冷却剤又は加温剤を収容することができるが、プラスチック製のパイプや木材、小石などを入れて腰部を刺激してもよい。また、磁石等を入れて血流を促してもよい。
【０００９】
また、前記本体部は、前記本体部の裏面であって、前記第１収容部が設けられている部分に対応する当接面と、折り畳まれることにより前記長手方向全体に亘って前記当接面又は前記第１収容部を覆う第１カバー部と、第１カバー部とは異なる場所に、折り畳まれることにより前記長手方向全体に亘って前記第１カバー部又は前記第１収容部を覆う第２カバー部と、を有することが好ましい。
【００１０】
このような構成によると、第１カバー部を折り畳んで当接部を覆うことで、腰部に当接する部分の厚みが増す。これにより、第１収容部に冷却剤を入れた状態で長時間腰部を冷却することによる局所の冷えを抑制できる。同時に、第１収容部に加温剤を入れた際の腰部の低温やけどを抑制することができる。また、第１カバー部で当接部を覆い、第２カバー部で第１カバー部を覆うことにより、さらに冷却剤又は加温剤から腰部への伝熱を緩和することができる。第１カバー部で第１収容部を覆うことにより、第１収容部に収容された冷却剤又は加温剤が落下することを防止できる。第２カバー部で第１収容部を覆うことにより、同様の効果を得ることができる。
【００１１】
また、前記第１収容部の内側には、断熱シートが設けられていることが好ましい。
【００１２】
このような構成によると、第１収容部の内側に断熱シートが設けられているため、第１収容部に収容された冷却剤の冷気が外部に逃げることを防止できる。これにより、冷却剤で効率的に腰部を冷やすことができる。同時に、加温剤の熱気が外部に逃げることを防止し、効率的に腰部を温めることができる。
【００１３】
また、腰用保護シートには、前記長手方向と直交する幅方向全幅に亘って複数の第２収容部が設けられていることが好ましい。
【００１４】
このような構成によると、腰用保護シートには幅方向全幅に亘って第２収容部がもうけられているため、腰部のより幅広い面積を冷却又は加温することができる。
【００１５】
また、前記第１収容部及び前記第２収容部は、前記幅方向の一方であって腰用保護シートを装着した際に上側に位置する部分が開口していることが好ましい。
【００１６】
このような構成によると、幅方向の一方であって腰用保護シートを装着した際に上側に位置する部分が開口しているため、容易に冷却剤や加温剤を出し入れすることができる。
【００１７】
また、前記第１収容部及び前記第２収容部は、同一形状であることが好ましい。
【００１８】
このような構成によると、第１収容部及び第２収容部は略同一形状であるため、同じ冷却剤や加温剤を任意の収容部に収容することができる。
【００１９】
本考案の別の観点では、本体部と、前記本体部の長手方向の一端と前記長手方向の他端とを接続する接続部と、を備える保護カバーであって、前記本体部には、前記長手方向全体及び前記長手方向に直交する幅方向全幅に亘って複数の収容部が互いに隣接するように設けられていることを特徴とする保護カバーを提供している。
【００２０】
このような構成によると、保護カバーには複数の収容部が長手方向全体及び長手方向に直交する幅方向全体に亘って設けられているため、冷却剤又は加温剤を収容部に収容することにより任意の位置を冷却・加温することができる。本体部の一端と他端とを接続する接続部は弾性を有しているため、容易に保護カバーを着脱することができる。特に、保護カバーは、クッションや枕のカバーとして用いることができる。収容部には、冷却剤又は加温剤を収容することができるが、プラスチック製のパイプや木材、小石などを入れて腰部を刺激してもよい。また、磁石等を入れて血流を促してもよい。
【考案の効果】
【００２１】
本考案によると、任意の場所を冷却・加温することができる腰用保護シートや保護カバーを提供することができる。
【図面の簡単な説明】
【００２２】
【図１】本考案の第１の実施の形態の腰用保護シートの斜視図。
【図２】本考案の第１の実施の形態の腰用保護シートの第１収容部の部分断面図。
【図３】本考案の第１の実施の形態の腰用保護シートの第１カバー部及び第２カバー部が収容領域を覆っている状態の第１収容部の部分断面図。
【図４】本考案の第１の実施の形態の腰用保護シートの使用状態を示す斜視図。
【図５】本考案の第２の実施の形態の腰用保護シートの斜視図。
【図６】本考案の変形例の保護カバーの斜視図。
【考案を実施するための形態】
【００２３】
本考案の第１の実施の形態による腰用保護シート１を、図１乃至図４に基づいて説明する。以下の記載において、平行、直行とは、完全に平行、直行ではなく略平行、略直行を含む概念である。図１に示すように、腰用保護シート１の長手方向Ｌと幅方向Ｗとを定義する。
【００２４】
腰用保護シート１は、本体部２と、係止部３と、被係止部４と、から構成される。本体部２は、略矩形をなし、タオル地である。本体部２は、綿、麻、吸汗性や速乾性に優れた合成繊維であってもよい。本体部２は、収容領域２１と、第１カバー部２２と、第２カバー部２３と、を備えている。収容領域２１と第１カバー部２２と第２カバー部２３とは、長手方向Ｌ及び幅方向Ｗの長さがそれぞれ略同一である。
【００２５】
収容領域２１は本体部２のおもて面に設けられていて、５つの第１収容部２４が互いに隣接するように設けられている。ここでいう隣接するとは、間隔を開けることなく互いに隣り合っていることをいう。第１収容部２４は、本体部２と同じタオル地である。第１収容部２４は、本体部２と同一の素材であることが好ましく、綿、麻、ガーゼ、吸汗性や速乾性に優れた合成繊維であってもよい。第１収容部２４は、本体部２よりも長手方向Ｌがわずかに長く幅方向Ｗが本体部２の１／３の幅のタオル地を準備し、当該タオル地を本体部２に縫合することにより形成される。第１収容部２４の幅方向Ｗ一端には、開口２４ａが形成されている。開口２４ａは、図３に示すように、腰用保護シート１を腰部に装着した際に上を向くように形成される。第１収容部２４には、開口２４ａを介して冷却剤２４Ａ（図２）又は加温剤を収容可能である。冷却剤２４Ａは、矢印Ａに沿って第１収容部２４に収容される。第１収容部２４は、市販の保冷剤や携帯用カイロ等の加温剤を収容可能な程度の大きさである。
【００２６】
図２に、第１収容部２４に冷却剤２４Ａが収容されている状態の断面図を示す。第１収容部２４の内側の面には、表面がアルミ蒸着された断熱シート２４Ｂが設けられている。断熱シート２４Ｂは、第１収容部２４のタオル地と略同じ大きさであり、第１収容部２４の内側の面に縫合されている。断熱シート２４Ｂは、タオル地と共に本体部２に縫合される。
【００２７】
図２に示すように、本体部２の第１収容部２４が設けられている面とは反対であって第１収容部２４に対応する位置に当接面２５が規定されている。つまり、当接面２５とは、本体部２の裏面であって、第１収容部２４に冷却剤２４Ａが収容されているときに冷却剤２４Ａによって冷やされる部分である。第１カバー部２２は、第１カバー部２２と収容領域２１との接続部分を折れ線として山折りすることにより下側から当接面２５を覆うことができる。第２カバー部２３も同様に、第２カバー部２３と収容領域２１との接続部分を山折りすることにより下側から当接面２５を覆うことができる。図３に、第１カバー部２２が当接面２５を下側から覆い、第２カバー部２３が第１カバー部２２を下側から覆った状態を示す。これにより、腰用保護シート１を腰部に装着した際に冷却剤２４Ａによって冷やされる箇所の厚みが、３倍となる。当接面２５は、本考案の当接部に相当する。
【００２８】
第１カバー部２２と収容領域２１との接続部分を折れ線として谷折りすることにより上側から第１収容部２４を覆うことができる。第２カバー部２３も同様に、第２カバー部２３と収容領域２１との接続部分を谷折りすることにより上側から第１収容部２４を覆うことができる。これにより、第１収容部２４に収容された冷却剤２４Ａが落下することを防止できる。
【００２９】
係止部３は、本体部２の長手方向Ｌ一端側に幅方向Ｗに所定の間隔をあけて２か所設けられている。各係止部３は、２本の紐で構成されていて、各紐は同一の長さである。係止部３は、一本の紐の長さ方向中央部分を本体部２に縫合することにより形成される。
【００３０】
被係止部４は、本体部２の長手方向Ｌ他端側に長手方向Ｌに所定の間隔をあけて２か所設けられている。各被係止部４は、本体部２と直交する方向の矢印Ｅから見て、本体部２と重なるように設けられている。換言すると、各被係止部４は、矢印Ｅから見て本体部２の内側に納まるように設けられている。被係止部４が本体部２から突出している場合には、係止部３と被係止部４とが係止した際に、本体部２の一端と他端とに隙間が出来る可能性がある。しかし、本考案のように、被係止部４が本体部２の内側に設けられていることにより、係止部３と被係止部４とが係止した際に、本体部２の一端と他端とに隙間が出来ることを抑制できる。被係止部４は、本体部２の幅方向Ｗの長さよりもわずかに長い紐を本体部２に縫合することにより形成される。各被係止部４は、幅方向Ｗに８か所縫合されることにより、７つの被係止孔４１が形成される。
【００３１】
図４に腰用保護シート１を腰に装着した状態を示す。腰用保護シート１を腰に巻き、係止部３の紐の一端をいずれかの被係止孔４１に通し、係止部３の他端と結ぶ。これにより、係止部３と被係止部４とが互いに係止される。これを各係止部３で行うことにより、腰用保護シート１が腰に保持される。紐が余ってしまう場合には、複数の被係止孔４１を通すことにより長さを調整する。このとき、当接面２５が腰部の全周に亘って当接する。
【００３２】
冷却剤２４Ａを第１収容部２４に収容したことにより、腰部が局所的に冷え過ぎる場合は、第１カバー部２２で当接面２５を覆うことで、冷気の伝わりを緩和することができる。さらに、冷気の伝わりを緩和したい場合には、図３に示すように、第２カバー部２３で第１カバー部２２を覆う。
【００３３】
このような構成によると、腰用保護シート１には冷却剤又は加温剤の少なくとも一方を収容可能な複数の第１収容部２４が長手方向Ｌ全体に亘って設けられているため、腰部の任意の位置を冷却・加温することができる。本体部２には、係止部３と被係止部４とが設けられているため、腰用保護シート１を腰部に保持することができる。特に、病院などで腰用のコルセットが不要になった際に、腰部を安定させるための保護シートとして用いることができる。また、冬山登山時に携帯し、腰用保護シートの第１収容部に加温剤を収容することにより暖を取ることが出来る。被係止部４は、第１収容部２４と重なるように設けられているため、係止部３と被係止部４とが係止した際、本体部２の一端と他端とに隙間が空くことを抑制できる。これにより、腰用保護シート１を腰部に装着した際、腰部の全周を隙間無く冷却又は加温することができる。収容部２４には、冷却剤又は加温剤を収容することができるが、プラスチック製のパイプや木材、小石などを入れて腰部を刺激してもよい。また、磁石等を入れて血流を促してもよい。
【００３４】
このような構成によると、第１カバー部２２を折り畳んで当接面２５を覆うことで、腰部に当接する部分の厚みが増す。これにより、第１収容部２４に冷却剤２４Ａを入れた状態で長時間腰部を冷却することによる局所の冷えを抑制できる。同時に、第１収容部２４に加温剤を入れた際の腰部の低温やけどを抑制することができる。また、第１カバー部２２で当接面２５を覆い、第２カバー部２３で第１カバー部２２を覆うことにより、さらに冷却剤又は加温剤から腰部への伝熱を緩和することができる。第１カバー部２２で第１収容部２４を覆うことにより、第１収容部２４に収容された冷却剤２４Ａ又は加温剤が落下することを防止できる。第２カバー部２３で第１収容部２４を覆うことにより、同様の効果を得ることができる。
【００３５】
このような構成によると、第１収容部２４の内側に断熱シート２４Ｂが設けられているため、第１収容部２４に収容された冷却剤２４Ａの冷気が外部に逃げることを防止できる。これにより、冷却剤２４Ａで効率的に腰部を冷やすことができる。同時に、加温剤の熱気が外部に逃げることを防止し、効率的に腰部を温めることができる。
【００３６】
このような構成によると、幅方向Ｗの一方であって腰用保護シート１を装着した際に上側に位置する部分に開口２４ａが形成されているため、容易に冷却剤２４Ａや加温剤を出し入れすることができる。
【００３７】
次に、本考案の第２の実施の形態について図５に基づいて説明する。第１の実施の形態と同一の構成については、同一の符号を付し、説明を省略する。
【００３８】
腰用保護シート１０１には、幅方向Ｗに３つの第２収容部１２４が設けられている。第２収容部１２４は、５つの第１収容部２４のうちの中央の第１収容部２４の幅方向Ｗ外側に、第１収容部２４を挟むように２つ設けられている。第１収容部２４が長手方向Ｌ全体に亘って複数設けられているのに対し、第２収容部１２４は幅方向Ｗ全幅に亘って複数設けられている。第２収容部１２４は、第１収容部２４と略同一の形状であり、詳細な構造についても第１収容部２４と同一である。第２収容部１２４は、開口２４ａが形成されている方向と同一の方向に開口１２４ａが形成されている。第２収容部１２４も第１収容部２４と同様に、タオル地からなる。
【００３９】
このような構成によると、腰用保護シート１０１には幅方向Ｗ全幅に亘って第２収容部１２４がもうけられているため、腰部のより幅広い面積を冷却又は加温することができる。
【００４０】
このような構成によると、第１収容部２４及び第２収容部１２４は略同一形状であるため、同じ冷却剤２４Ａや加温剤を任意の収容部に収容することができる。
【００４１】
次に、本考案の変形例について、図６に基づいて説明する。第１の実施の形態及び第２の実施の形態と同一の構成については、同一の符号を付し説明を省略する。
【００４２】
保護カバー２０１は、伸縮性を有する弾性材から構成される２つの接続部２０３を有している。本実施の形態では接続部２０３としてゴムを用いている。接続部２０３の一端は、本体部２の一端に縫合され、接続部２０３の他端は本体部２の他端に縫合されている。保護カバー２０１は、クッション、枕、脚枕、などの外表面を覆う保護カバーとして利用される。第１収容部２４及び第２収容部１２４が本考案の収容部に相当する。
【００４３】
このような構成によると、保護カバー２０１には冷却剤２４Ａ又は加温剤の少なくとも一方を収容可能な複数の収容部２４，１２４が長手方向Ｌ全体及び長手方向Ｌに直交する幅方向Ｗ全体に亘って設けられているため、任意の位置を冷却・加温することができる。本体部２の一端と他端とを接続する接続部２０３は弾性を有しているため、容易に保護カバー２０１を着脱することができる。特に、保護カバー２０１は、クッションや枕のカバーとして用いることができる。収容部２４，１２４には、冷却剤２４Ａ又は加温剤を収容することができるが、プラスチック製のパイプや木材、小石などを入れて腰部を刺激してもよい。また、磁石等を入れて血流を促してもよい。
【００４４】
本考案の実施の形態は、上述した実施の形態に限定されず、実用新案登録請求の範囲に記載された考案の要旨の範囲内で種々の変更が可能である。
【００４５】
上記の実施の形態では、係止部３及び被係止部４として紐を用いたが、面ファスナーやボタンを用いてもよい。この場合でも、金属等を使用していないため腰用保護シート１を洗濯することができる。
【００４６】
上記の実施の形態では、第１収容部２４に開口２４ａが設けられていたが、第１収容部２４に蓋を設けてもよい。これにより、第１収容部２４に収容した冷却剤２４Ａ又は加温剤が落下することを防止できる。蓋に、ボタンや面ファスナーを設けてもよい。
【００４７】
上記の実施の形態では、第１収容部２４として５つ第２収容部１２４として３つの収容部が設けられていたが、収容部の形状・数はこれに限定されない。また、開口２４ａは、幅方向Ｗに開口していたが、長手方向Ｌに開口してもよい。
【００４８】
上記の実施の形態では、第１収容部２４の内側に断熱シート２４Ｂを設けたが、第１収容部２４の外側に設けても良く、断熱シート２４Ｂを設けなくても良い。
【００４９】
上記の実施の形態では、本体部２としてタオル地を用いたが、これに限定されない。例えば、本体部２のおもて面をタオル地として裏面に難燃性の生地を縫製してもよい。これにより、腰用保護シート１装着時のやけどを防止することができる。
【００５０】
上記の実施の形態では、第１収容部２４及び第２収容部１２４を本体部２に縫合したが、面ファスナーやボタン等で取外し可能にしてもよい。これにより、第１収容部２４及び第２収容部１２４を任意の位置に配置することができる。
【符号の説明】
【００５１】
１，１０１    腰用保護シート
２    本体部
３    係止部
４    被係止部
２１    収容領域
２２    第１カバー部
２３    第２カバー部
２４    第１収容部
２４Ａ    冷却剤
２４Ｂ    断熱シート
２５    当接面
１２４    第２収容部
２０１    保護カバー
２０３    接続部
【図１】
0003204888.tif 000003
【図２】
0003204888.tif 000004
【図３】
0003204888.tif 000005
【図４】
0003204888.tif 000006
【図５】
0003204888.tif 000007
【図６】
0003204888.tif 000008